(57)【要約】【課題】誤ったタイミング遅延の算出を防ぐことが可能な、無線通信装置を提供する。【解決手段】本発明に係る無線通信装置1は、通信相手とのタイミング推定を行うマルチキャリア無線通信方式に対応した無線通信装置であって、前記通信相手から受信した参照シンボルと、該参照シンボルに関する既知情報との相関データを求める相関演算部206と、過去の相関データに基づき、前記通信相手との同期状態からのタイミング差の予測値を算出するタイミング差予測部209と、前記予測値に基づき、現在の相関データに重み付けを行う重み付け演算部210と、前記重み付けされた現在の相関データに基づき、前記通信相手との同期状態からのタイミング差を算出するタイミング差算出部211と、を備える。【選択図】図１
2010278675.tif 000002
【特許請求の範囲】
【請求項１】
通信相手とのタイミング推定を行うマルチキャリア無線通信方式に対応した無線通信装置であって、
前記通信相手から受信した参照シンボルと、該参照シンボルに関する既知情報との相関データを求める相関演算部と、
過去の相関データに基づき、前記通信相手との同期状態からのタイミング差の予測値を算出するタイミング差予測部と、
前記予測値に基づき、現在の相関データに重み付けを行う重み付け演算部と、
前記重み付けされた現在の相関データに基づき、前記通信相手との同期状態からのタイミング差を算出するタイミング差算出部と、
を備える無線通信装置。
【請求項２】
前記現在の相関データに対し、過去の相関データに基づく平滑化又は平均化を行う忘却平均部を備え、
前記重み付け演算部は、平滑化又は平均化が行われた前記現在の相関データに重み付けを行う、
請求項１に記載の無線通信装置。
【請求項３】
マルチキャリア無線通信方式に対応した通信相手とのタイミング推定方法であって、
前記通信相手から受信した参照シンボルと、該参照シンボルに関する既知情報との相関データを求める相関演算ステップと、
過去の相関データに基づき、前記通信相手との同期状態からのタイミング差の予測値を算出するタイミング差予測ステップと、
前記予測値に基づき、現在の相関データに重み付けを行う重み付け演算ステップと、
前記重み付けされた現在の相関データに基づき、前記通信相手との同期状態からのタイミング差を算出するタイミング差算出ステップと、
を含むタイミング推定方法。
【請求項４】
前記現在の相関データに対し、過去の相関データに基づく平滑化又は平均化を行う忘却平均ステップを有し、
前記重み付け演算ステップは、平滑化又は平均化が行われた前記現在の相関データに重み付けを行う、
請求項３に記載のタイミング推定方法。
【発明の詳細な説明】
【技術分野】
【０００１】
この発明は、無線通信装置及びタイミング推定方法に関し、特に、マルチキャリア無線通信方式に対応した無線通信装置及びマルチキャリア無線通信方式におけるタイミング推定方法に関する。
【背景技術】
【０００２】
ＯＦＤＭ（Orthogonal Frequency Division Multiplexing：直交周波数分割多重）及びＯＦＤＭＡ（Orthogonal Frequency Division Multiplex Access：直交周波数分割多元接続）方式等のマルチキャリア無線通信方式では、シンボル間干渉（ＩＳＩ）が通信品質に大きな影響を与える。例えば、基地局がガードインターバル（ＧＩ）長時間より遅延したデータを受信した場合、当該遅延データはシンボル間干渉を引き起こすため、基地局が受信する無線信号の受信特性は劣化する。また、基地局が複数の無線通信端末と通信している場合には、基地局と各無線通信端末との間の通信遅延差によってシンボル間干渉が発生し、基地局と各無線通信端末との通信が困難になる場合がある。
【０００３】
そのため、マルチキャリア無線通信方式では、基地局は、無線通信端末との間で周期的なレンジング（伝播遅延時間、及び伝播遅延時間に基づく距離の測定）などを行うことにより、伝播遅延を考慮した、基地局及び無線通信端末間のタイミング同期（シンボル同期）を行う。これ以降、当該タイミング同期のために、基地局が、基地局（受信側）及び無線通信端末（送信側）間の理想的な同期状態からの時間的な差分（以降、「タイミング遅延」と言う。）を求めることを、「タイミング推定」と称する。
【０００４】
例えば、次世代ＰＨＳシステムでは、基地局は、無線通信端末からの上り制御情報チャネル（ＡＮＣＨ）に含まれる参照シンボル（トレーニングシンボルなど）を用いて、タイミング推定を行うことができる。この場合、まず、基地局は、無線通信端末から実際に受信した参照シンボル（受信参照シンボル）と、基地局が保持している当該参照シンボルの既知情報（理想参照シンボル）との相関を計算することにより、基地局と無線通信端末との間のタイミング遅延を算出する。次いで、基地局は、算出したタイミング遅延を無線通信端末に通知する。無線通信端末は、受信したタイミング遅延に基づいて、自端末が送信するデータを基地局が理想的なタイミングで受信できるように（即ち、シンボル間干渉などが発生しないように）、自端末の送信タイミングを補正する。このようにして、基地局と無線通信端末との間のタイミング同期は行われる（例えば、特許文献１参照）。
【０００５】
図５及び図６を参照して従来のタイミング推定方法について具体的に説明する。図５は従来の基地局のタイミング推定部の概略構成を示す図であり、図６は従来の基地局によるタイミング推定方法を示すフローチャートである。
【０００６】
従来の基地局は、まず、受信信号に対してガードインターバルの除去や、ＦＦＴ処理を行い、ＦＦＴ処理により時間領域から周波数領域に変換された受信信号は、タイミング推定部５０に入力される（ステップＳ５０１）。タイミング推定部５０において、参照シンボル抽出部５１は、受信信号に参照シンボルが含まれているかどうかを確認する（ステップＳ５０２）。参照シンボルが含まれている場合、参照シンボル抽出部５１は、受信信号から参照シンボルを抽出し、抽出した参照シンボル（受信参照シンボル：Ｘ（ｋ））を乗算部５２に入力する（ステップＳ５０３）。ここで、参照シンボル部５４は、参照シンボルの既知情報、即ち理想的な参照シンボル情報（理想参照シンボル：Ｒ（ｋ））を保持しており、複素共役部５３は、当該理想参照シンボルの複素共役（Ｒ’（ｋ））を乗算部５２に入力する。乗算部５２は、参照シンボル抽出部５１からの受信参照シンボルＸ（ｋ）と複素共役部５３からの理想参照シンボルの複素共役Ｒ’（ｋ）との乗算を式（１）の通り行って伝達関数Ｓ（ｋ）を算出し、当該伝達関数Ｓ（ｋ）をＩＦＦＴ部５５に入力する（ステップＳ５０４）。
Ｓ(ｋ)=Ｘ(ｋ)・Ｒ(ｋ)’      （１）
【０００７】
ＩＦＦＴ部５５は、乗算部５２からの伝達関数Ｓ（ｋ）を逆フーリエ変換して複素インパルス応答Ｓ（ｎ）を求め、当該複素インパルス応答Ｓ（ｎ）を相関演算部５６に入力する（ステップＳ５０５）。
【０００８】
【数１】
2010278675.tif 000003
【０００９】
相関演算部５６は、ＩＦＦＴ部５５からの複素インパルス応答Ｓ（ｎ）を二乗演算し、受信参照シンボルと理想参照シンボルとの相関を示す電力信号（相関データ）を生成し、当該相関データをピーク検出部５７に入力する（ステップＳ５６）。ピーク検出部５７は、当該相関データのピークを検出し、当該ピークから基地局と無線通信端末との間のタイミング遅延を算出する（ステップＳ５０７）。
【００１０】
例えば、基地局と無線通信端末とが適切に同期されている場合、理想的には、無線通信端末からの受信参照シンボルと基地局が保持する理想参照シンボルとの相関データに、高い（例えば、相関値が０．６以上）ピークが存在することになる。図７は、高いピークを有する相関データの一例を示す図である。図７のように、相関データが所定の時刻（ｔ０）に高いピークを有する場合、ピーク検出部５７は、基地局と無線通信端末との間のタイミング遅延が、ゼロであると判断する。即ち、基地局は、タイミング推定によって、自局（基地局）と無線通信端末とが適切に同期されていると判断することができる。
【００１１】
また、例えば、基地局と無線通信端末とが適切に同期されていない場合、無線通信端末からの受信参照シンボルと基地局が保持する理想参照シンボルとの相関データには、高いピークが存在しないことになる。図８は、高いピークを有さない相関データの一例を示す図である。図８に示す相関データには、２つの低い（例えば、相関値が０．６未満）ピークが、それぞれ時刻ｔ０及び時刻ｔ０−Ｔの位置に示されている。図８のように、相関データが高いピークを有さない場合、ピーク検出部５７は、自局と無線通信端末とが適切に同期されていないと判断する。このとき、ピーク検出部５７は、本来高いピークが生じるはずの時刻ｔ０から離れた時刻に生じる低いピークの位置によって、基地局と無線通信端末との間のタイミング遅延を算出することができる。即ち、図８の場合、時刻ｔ０−Ｔの位置に低いピークがあるため、ピーク検出部５７は、タイミング遅延はＴであり、無線通信端末が、理想タイミングより時間Ｔだけずれたタイミングでデータを送信していると判断することができる。基地局は、算出したタイミング遅延を無線通信端末に通知するため、無線通信端末は、受信したタイミング遅延に基づいて、自端末の送信タイミングを補正することができる。
【先行技術文献】
【特許文献】
【００１２】
【特許文献１】特開２０００−３４９７３６号公報
【発明の概要】
【発明が解決しようとする課題】
【００１３】
しかし、従来のタイミング推定方法は、フェージング、シンボル間干渉、及びキャリア間干渉等が相関データに与える影響に対して、なんら対策を講じていない。
【００１４】
基地局と無線通信端末とが適切に同期されている場合であっても、フェージング等の影響によって、無線通信端末からの受信参照シンボルに歪みや位相遅れが生じ、受信参照シンボルと基地局が保持する理想参照シンボルとの相関データには、高いピークが存在しないことがある。例えば、基地局と無線通信端末とが適切に同期されている場合に、フェージング等の影響により相関データが図８のようになると、基地局と無線通信端末とが適切に同期されているにもかかわらず、基地局は、誤ってタイミング遅延（Ｔ）を算出し、当該タイミング遅延を無線通信端末に通知してしまう。無線通信端末は、受信したタイミング遅延に基づいて自端末の送信タイミングを補正するため、結果的に基地局と無線通信端末との同期が損なわれ、逆に基地局と無線通信端末とのタイミング遅延が拡大してしまうことになる。そのため、例えば基地局と無線通信端末とのタイミング遅延がガードインターバル長より長くなるなど、基地局においてシンボル間干渉が発生しやすくなり、基地局と各無線通信端末との通信が困難になる。
【００１５】
したがって、かかる点に鑑みてなされた本発明の目的は、誤ったタイミング遅延の算出を防ぐことが可能な、無線通信装置及びタイミング推定方法を提供することにある。
【課題を解決するための手段】
【００１６】
上述した諸課題を解決すべく、第１の発明による無線通信装置は、
通信相手とのタイミング推定を行うマルチキャリア無線通信方式に対応した無線通信装置であって、
前記通信相手から受信した参照シンボルと、該参照シンボルに関する既知情報との相関データを求める相関演算部と、
過去の相関データに基づき、前記通信相手との同期状態からのタイミング差の予測値を算出するタイミング差予測部と、
前記予測値に基づき、現在の相関データに重み付けを行う重み付け演算部と、
前記重み付けされた現在の相関データに基づき、前記通信相手との同期状態からのタイミング差を算出するタイミング差算出部と、
を備える無線通信装置である。
【００１７】
また、前記現在の相関データに対し、過去の相関データに基づく平滑化又は平均化を行う忘却平均部を備え、
前記重み付け演算部は、平滑化又は平均化が行われた前記現在の相関データに重み付けを行う、ことが望ましい。
【００１８】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１９】
例えば、本発明を方法として実現させたタイミング推定方法は、
マルチキャリア無線通信方式に対応した通信相手とのタイミング推定方法であって、
前記通信相手から受信した参照シンボルと、該参照シンボルに関する既知情報との相関データを求める相関演算ステップと、
過去の相関データに基づき、前記通信相手との同期状態からのタイミング差の予測値を算出するタイミング差予測ステップと、
前記予測値に基づき、現在の相関データに重み付けを行う重み付け演算ステップと、
前記重み付けされた現在の相関データに基づき、前記通信相手との同期状態からのタイミング差を算出するタイミング差算出ステップと、
を含むタイミング推定方法である。
【００２０】
また、前記現在の相関データに対し、過去の相関データに基づく平滑化又は平均化を行う忘却平均ステップを有し、
前記重み付け演算ステップは、平滑化又は平均化が行われた前記現在の相関データに重み付けを行う、ことが望ましい。
【発明の効果】
【００２１】
本発明によれば、通信相手から受信した参照シンボルと該参照シンボルに関する既知情報との相関データには予測値に応じた重み付けが行われ、正しいタイミング差が算出される確率が高まるため、誤ったタイミング差（タイミング遅延）の算出を防ぐことが可能となる。
【図面の簡単な説明】
【００２２】
【図１】図１は本発明の一実施形態に係る基地局の概略構成を示す図である。
【図２】図２は図１に示す基地局のタイミング推定部の概略構成を示す図である。
【図３】図３は図１に示す基地局によるタイミング推定を示すフローチャートである。
【図４】図４は図１に示す基地局により生成された重み及び相関データの一例を示す図である。
【図５】図５は従来の基地局のタイミング推定部の概略構成を示す図である。
【図６】図６は従来の基地局によるタイミング推定を示すフローチャートである。
【図７】図７は高いピークを有する相関データの一例を示す図である。
【図８】図８は高いピークを有さない相関データの一例を示す図である。
【発明を実施するための形態】
【００２３】
以降、諸図面を参照しながら、本発明の実施態様を詳細に説明する。
【００２４】
図１は、本発明の一実施形態に係る基地局（無線通信装置）の概略構成を示す図である。基地局１は、ＲＦ部１０と、ＡＤＣ（Analog Digital Converter）１１と、直交復調部１２と、フィルタ部１３と、ＧＩ（Guard Interval）削除部１４と、ＦＦＴ（Fast Fourier Transform）部１５と、イコライザー部１６と、復調部１７と、上位処理部１８と、タイミング推定部２０と、変調部３１と、ＩＦＦＴ（Inverse Fast Fourier Transform）部３２と、ＧＩ付加部３３と、フィルタ部３４と、直交変調部３５と、ＤＡＣ（Digital Analog Converter）３６と、を備える。
【００２５】
基地局１における受信系の動作では、まず、ＲＦ部１０はアンテナから受信したＲＦ信号をＩＦ信号に周波数変換する。ＡＤＣ１１はＲＦ部からのＩＦ信号をアナログ信号からデジタル信号に変換する。続いて、直交復調部１２は、ＡＤＣ１１からのデジタル信号をＩＱ（Inphase Quadrature）信号に分離し、フィルタ部１３は、当該ＩＱ信号をダウンコンバートするとともに、そのイメージをフィルタリングしてベースバンド信号を生成する。ＧＩ削除部１４は、ベースバンド信号から、通信相手である送信側の無線通信端末（図示せず）によって付加されているＧＩを削除し、ＧＩが除去されたベースバンド信号は、ＦＦＴ部１５によって時間領域のデータから周波数領域のデータに変換される。イコライザー部１６は、ＦＦＴ部１５から周波数領域のデータを受けると、伝播路の影響を補正するためにチャネル推定を行い、当該チャネル推定結果を用いた等化処理（イコライゼーション）を行う。そして、復調部１７は等化処理後のデータに対してデマッピング及び誤り訂正等を行い、復調したデータを上位処理部１８に入力する。
【００２６】
ここで、ＦＦＴ部１５は、周波数領域に変換したデータを、タイミング推定部２０にも入力する。タイミング推定部２０は、タイミング推定によって、基地局１と無線通信端末との間のタイミング遅延（請求項におけるタイミング差）を算出し、当該タイミング遅延を上位処理部１８に入力する。なお、タイミング推定部２０によるタイミング推定の詳細は後述するものとする。
【００２７】
上位処理部１８は、タイミング推定部２０からタイミング遅延を受けると、当該タイミング遅延を通信相手である無線通信端末に通知するため、所定の制御情報を含んだダウンリンクフレームを生成する。
【００２８】
基地局１における送信系の動作では、変調部３１は上位処理部１８からのダウンリンクフレームを変調し、次いで、ＩＦＦＴ部３２は、変調されたデータを周波数領域のデータから時間領域のデータに変換する。ＧＩ付加部３３は、時間領域のデータに対してガードインターバルを付加し、ガードインターバルが付加された信号は、フィルタ部３４によるフィルタ処理、直交変調部３５によるＩＱ変調、ＤＡＣ３６によるデジタルアナログ変換を経て、ＲＦ部１０に入力される。ＲＦ部１０は、ＤＡＣ３６から受けた信号をＲＦ信号に変換し、アンテナを通じて無線通信端末にタイミング遅延を含むダウンリンクフレームを送信する。
【００２９】
図２は、基地局１のタイミング推定部２０の概略構成を示す図である。タイミング推定部２０は、参照シンボル抽出部２０１と、乗算部２０２と、複素共役部２０３と、参照シンボル部２０４と、ＩＦＦＴ部２０５と、相関演算部２０６と、忘却平均部２０７と、遅延量プロファイル生成部２０８と、遅延量算出部２０９（請求項におけるタイミング差予測部）と、重み付け演算部２１０と、ピーク検出部２１１（請求項におけるタイミング差算出部）と、を有する。ここで、タイミング推定部２０及び各機能部（２０１−２１１）は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。
【００３０】
参照シンボル抽出部２０１は、ＦＦＴ部１５からの受信信号に含まれる参照シンボル（受信参照シンボル）を抽出する。参照シンボル部２０４は、参照シンボルの既知情報、即ち理想的な参照シンボル情報（理想参照シンボル）を図示しない記憶部から読み出す。複素共役部２０３は、参照シンボル部２０４が読み出した理想参照シンボルの複素共役を算出する。乗算部２０２は、参照シンボル抽出部２０１からの受信参照シンボルと複素共役部２０３からの理想参照シンボルの複素共役との乗算を行って伝達関数を算出する。ＩＦＦＴ部２０５は、乗算部２０２からの伝達関数を逆フーリエ変換して複素インパルス応答を求める。相関演算部２０６は、ＩＦＦＴ部２０５からの複素インパルス応答を二乗演算し、受信参照シンボルと理想参照シンボルとの相関を示す電力信号（相関データ）を生成する。
【００３１】
忘却平均部２０７は、相関演算部２０６からの相関データ（現在の電力信号）に対して、過去の電力信号値及び忘却係数を用いた平滑化／平均化処理（忘却平均処理）を行う。ここでいう忘却平均処理とは、現在及び過去の電力信号値にそれぞれ適切な係数（忘却係数）を乗じて演算することにより、例えば現在の電力信号値を過去の電力信号値によって平滑化したり、ある期間における電力信号値の平均化したりする処理などを意味する。
【００３２】
例えば、相関演算部２０６からの相関データが、ＦＦＴの仕様により１シンボルあたり５１２個の離散値によって量子化されており、時刻ｔにおける相関データの各離散値がＶ（ｉ，ｔ）(１≦ｉ≦５１２)で表現されるものとする。忘却平均部２０７は、相関演算部２０６から現在の相関データを受けると、現在（時刻ｔ）の相関データの各離散値Ｖ（ｉ，ｔ）と、過去（時刻ｔ−１）の相関データの各離散値Ｖ(ｉ，ｔ−１)とを用いて、式（３）により平滑化を行うことができる。ここで、Ｖａｖｅ（ｉ，ｔ）は忘却平均処理による各シンボルの値を示すものであり、a及びｂは忘却係数を示すものである（例えばａ＝０．２、ｂ＝０．８）。
Ｖａｖｅ（ｉ，ｔ）＝ａ×Ｖ（ｉ，ｔ）＋ｂ×Ｖ（ｉ，ｔ−１）      （３）
【００３３】
また、忘却平均部２０７は、式（４）により平均化を行うこともできる。
Ｖａｖｅ（ｉ，ｔ）＝（Ｖ（ｉ，ｔ）＋Ｖ（ｉ，ｔ−１））／２      （４）
【００３４】
遅延量プロファイル生成部２０８は、相関演算部２０６から相関データ（電力信号）を受けると、遅延量プロファイルの生成を行う。遅延プロファイルとは、過去の相関データの値（各離散値）を記憶したものである。例えば、相関演算部２０６からの相関データが、ＦＦＴの仕様により１シンボルあたり５１２個の離散値によって量子化されている場合、遅延量プロファイル生成部２０８は、各離散値Ｖ（ｉ，ｔ）(１≦ｉ≦５１２)を記憶した遅延量プロファイルを生成する。
【００３５】
遅延量算出部２０９は、遅延量プロファイル（即ち過去の相関データの履歴）に基づいて、基地局と無線通信端末との間の現在のタイミング遅延の予想値を算出する。即ち、遅延量算出部２０９は、過去の相関データに基づき過去のタイミング遅延を算出し、当該過去のタイミング遅延に基づき、現在のタイミング遅延を予測する。なお、過去のデータに基づく現在値の予測方法としては、線形予測、非線形予測など種々の方式が既知であり、当業者であれば、適宜必要な方式を採用することができるものであることに留意されたい。
【００３６】
重み付け演算部２１０は、忘却平均部２０７から忘却平均処理後の相関データと、遅延量算出部２０９からタイミング遅延の予測値とを受け、相関データに対する重み付け演算を行う。図４は、重み付け演算部２１０による重み付けの一例を示す図である。例えば、基地局と無線通信端末とが適切に同期されている場合、遅延量算出部２０９によるタイミング遅延の予測値は、ゼロに近い値となる。この場合、重み付け演算部２１０は、図４の点線に示すように、タイミング遅延がゼロに近いほど（即ち、本来高いピークが生じるはずの時刻ｔ０に近いほど）重みが高く、タイミング遅延が大きくなるほど（即ち時刻から離れるほど）重みが低くなるように、相関データに対する重み付けを行う。
【００３７】
ピーク検出部２１１は、重み付け演算部２１０により重み付けされた相関データを受け、相関データのピーク検出し、当該ピークから基地局１と無線通信端末との間のタイミング遅延を算出する。
【００３８】
図３は、タイミング推定部２０によるタイミング推定を示すフローチャートである。
【００３９】
参照シンボル抽出部２０１は、ＦＦＴ部１５から周波数領域に変換されたデータを受けると、当該データに参照シンボルが含まれているかどうかを確認する（ステップＳ１０１、Ｓ１０２）。参照シンボルが含まれている場合、参照シンボル抽出部２０１は、参照シンボルを抽出し、抽出した参照シンボル（受信参照シンボル）を乗算部２０２に入力する（ステップＳ１０３）。ここで、参照シンボル部２０４は、参照シンボルの既知情報、即ち理想的な参照シンボル情報（理想参照シンボル）を図示しない記憶部から読み出し、複素共役部２０３は、当該理想参照シンボルの複素共役を乗算部２０２に入力する。乗算部２０２は、参照シンボル抽出部からの受信参照シンボルと、複素共役部２０３からの理想参照シンボルの複素共役との乗算を行い、乗算した結果をＩＦＦＴ部２０５に入力する（ステップＳ１０４）。ＩＦＦＴ部２０５は、乗算部２０２からの乗算結果を逆フーリエ変換し、複素インパルス応答を求め、当該複素インパルス応答を相関演算部２０６に入力する（ステップＳ１０５）。相関演算部２０６は、ＩＦＦＴ部からの複素インパルス応答を二乗演算し、受信参照シンボルと理想参照シンボルとの相関値を示す電力信号（相関データ）を生成し、当該相関データを忘却平均部２０７及び遅延量プロファイル生成部２０８に入力する（ステップＳ１０６）。
【００４０】
忘却平均部２０７は、相関演算部２０６からの現在の相関データに対して、過去の相関データ及び忘却係数を用いた平滑化／平均化処理（忘却平均処理）を行う（ステップＳ１０７）。
【００４１】
遅延量プロファイル生成部２０８は、相関演算部２０６から相関データを受けると、遅延量プロファイルの生成を行う（ステップＳ１０８）。遅延量プロファイル生成部２０８が遅延量プロファイルを生成すると、遅延量算出部２０９は、当該遅延量プロファイル（即ち過去の相関データの履歴）に基づいて、基地局と無線通信端末との間の現在のタイミング遅延の予想値を算出する（ステップＳ１０９）。
【００４２】
重み付け演算部２１０は、忘却平均部２０７から忘却平均処理後の相関データと、遅延量算出部２０９からタイミング遅延の予測値とを受け、相関データに対する重み付け演算を行う（ステップＳ１１０）。ピーク検出部２１１は、重み付け演算部２１０から重み付けされた相関データを受け、相関データをピーク検出し、当該ピークから基地局１と無線通信端末との間のタイミング遅延を算出する（ステップＳ１１１）。
【００４３】
このように、本実施形態によると、基地局は、現在のタイミング遅延を予測し、当該予測値に近いほど高い重みを相関データに与えるため、正しいピークを検出できる可能性が高まり、結果的に誤ったタイミング遅延の算出を防ぐことができる。即ち、基地局は、シンボル間干渉などの発生を防止し、良好な受信状況を確保することができる。
【００４４】
また、基地局１は、相関データ（電力信号）に対する忘却平均処理によって、例えば無線環境の変化によって電力信号が急激に変化した場合であっても、当該電力信号をそのままピーク検出に用いることはなく、過去の値に応じて適切な平滑化／平均化を行うため、無線環境の変化による誤ったタイミング遅延の算出を防ぐことができる。
【００４５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００４６】
例えば、各構成部、各ステップなどに含まれる機能などは論理的に矛盾しないように再配置可能であり、複数の構成部やステップなどを１つに組み合わせたり、或いは分割したりすることが可能である。
【００４７】
また、忘却平均部２０７は、忘却平均処理に使用する過去の相関データの値として、過去の忘却平均処理後の相関データの値を使用することができる。この場合、平滑化／平均化されている過去の値に基づき現在の値に対する忘却平均処理が行われるため、無線状態の変動に対してより安定した平滑化／平均化が可能となる。
【００４８】
なお、本発明の他の実施形態に係る基地局のタイミング推定部は、図２に示す忘却平均部２０７を除いた構成とすることができる。この構成では、通信相手である無線通信端末が静止している場合など、無線状態の変動が少ない場合に、相関データの忘却平均処理を省略することができるため、タイミング推定に関する処理負荷、消費電力を低減させることが可能になる。
【００４９】
また、遅延量プロファイル生成部２０８は、過去のタイミング遅延の履歴を、遅延量プロファイルとして保持することもできる。この場合、遅延量算出部２０９は、過去のタイミング遅延の履歴を直接利用して、現在のタイミング遅延の予想値を算出することができる。
【符号の説明】
【００５０】
１  基地局（無線通信装置）
１０  ＲＦ部
１１  ＡＤＣ
１２  直交復調部
１３、３４  フィルタ部
１４  ＧＩ削除部
１５  ＦＦＴ部
１６  イコライザー部
１７  復調部
１８  上位処理部
２０  タイミング推定部
３１  変調部
３２  ＩＦＦＴ部
３３  ＧＩ付加部
３５  直交変調部
３６  ＤＡＣ
２０１  参照シンボル抽出部
２０２  乗算部
２０３  複素共役部
２０４  参照シンボル部
２０５  ＩＦＦＴ部
２０６  相関演算部
２０７  忘却平均部
２０８  遅延量プロファイル生成部
２０９  遅延量算出部（タイミング差予測部）
２１０  重み付け演算部
２１１  ピーク検出部（タイミング差算出部）
【図１】
2010278675.tif 000004
【図２】
2010278675.tif 000005
【図３】
2010278675.tif 000006
【図４】
2010278675.tif 000007
【図５】
2010278675.tif 000008
【図６】
2010278675.tif 000009
【図７】
2010278675.tif 000010
【図８】
2010278675.tif 000011